(57)【要約】【課題】ドアに組み付けた状態で見栄えの良いドアクローザを提供する。【解決手段】ドアクローザ１０は、ドアＤの開閉動作とともに回動するヒンジ２０と、伸長動作時に減衰力を発生させるダンパ４０と、ヒンジ２０に連結して、ドアＤの開動作時にダンパ４０を収縮動作させる連結部３０と、を備えている。連結部３０は、ヒンジ２０の回動部２２に連結して、回動部２２の回動に連動して上下方向に延びる回動軸Ｃを中心として回動し、ダンパ４０は、ヒンジ２０の固定部２１に連結するシリンダ４１と、シリンダ４１内に摺動自在に収納され、上方に付勢されるピストン４４と、ピストン４４に連結されて、上下方向に延び、テーパ面４３Ａが連結部３０のテーパ面３０Ａに接触するロッド４３と、を有する。ドアＤが閉動作するときに、ロッド４３が、連結部３０の回動に応じて上方に移動して、減衰力を発生させる。【選択図】図２
2019120103.tif 000002
【特許請求の範囲】
【請求項１】
壁面の開口部に取り付けられるドアと、前記壁面と、に取り付けられて、前記ドアの開閉動作とともに回動するヒンジと、
伸縮動作時に減衰力を発生させるダンパと、
前記ヒンジに連結して、前記ドアの開閉動作時に前記ダンパを伸縮動作させる連結部と、
を備えており、
前記ヒンジは、
前記壁面側に固定された固定部と、
前記ドア側に固定されて前記固定部に対して相対的に回動する回動部と、
を有し、
前記連結部は、前記回動部に連結して、前記回動部の回動に連動して上下方向に延びる回動軸を中心として回動し、
前記ダンパは、
前記固定部又は前記壁面の少なくとも一方に連結するシリンダと、
前記シリンダ内に摺動自在に収納されるピストンと、
前記ピストンに連結されて、上下方向に延び、上面が前記連結部の下面に接触するロッドと、
を有し、
前記ドアが閉動作するときに、前記ロッドが、前記連結部の回動に応じて上下方向に往復移動して、減衰力を発生させることを特徴とするドアクローザ。
【請求項２】
前記連結部は、下面が前記回動軸に対して傾斜するテーパ状である円柱状であり、
前記ロッドは、上面が前記回動軸に対して傾斜するテーパ状であることを特徴とする請求項１に記載のドアクローザ。
【請求項３】
前記固定部と前記シリンダを連結し、前記連結部及び前記ロッドを覆うカバー部を備えることを特徴とする請求項１又は請求項２に記載のドアクローザ。
【発明の詳細な説明】
【技術分野】
【０００１】
本発明はドアクローザに関する。
【背景技術】
【０００２】
特許文献１には、蝶番等により回動可能に建物に支持されるドアを、開状態からゆっくり自動的に閉じるときに作用するドアクローザが開示されている。ドアクローザは、作動油が充填された密閉空間を有するハウジングと、密閉空間にスプリングにより付勢された状態で往復移動可能に配置されたピストンと、ピストンを移動させるラック・ピニオン機構と、を備えている。ドアクローザは、密閉空間がピストンによって高圧室と低圧室とに区画されている。ドアクローザは、ドアの開閉動作時の回転をハウジング内のラック・ピニオン機構によってピストンの直動に変換し、高圧室から低圧室への作動油の流れによってドアの閉動作時に減衰力を発生させて、ドアの閉動作時の回動速度を低減させている。
【先行技術文献】
【特許文献】
【０００３】
【特許文献１】特開２０１６−８３８３号公報
【発明の概要】
【発明が解決しようとする課題】
【０００４】
特許文献１のドアクローザは、ドアを開閉自在にさせる蝶番等とは別個にドアの一方面に組み付けられている。また、このドアクローザは、シリンダ内にラック・ピニオン機構等の部品が収容されており、蝶番等の部材に比べて大きくなる。そのため、このようなドアクローザは、ドアの一方面に組み付けられることで、ドアの一方面からの出っ張りが大きく、目立ち易くなり、見栄えが悪化してしまう。
【０００５】
本発明は、上記従来の実情に鑑みてなされたものであって、ドアに組み付けた状態で見栄えの良いドアクローザを提供することを解決すべき課題としている。
【課題を解決するための手段】
【０００６】
本発明のドアクローザは、壁面の開口部に取り付けられるドアと、壁面と、に取り付けられて、ドアの開閉動作とともに回動するヒンジと、伸長動作時に減衰力を発生させるダンパと、ヒンジに連結して、ドアの開動作時にダンパを収縮動作させる連結部と、を備える。ヒンジは、壁面側に固定された固定部と、ドア側に固定されて固定部に対して相対的に回動する回動部と、を有する。連結部は、回動部に連結して、回動部の回動に連動して上下方向に延びる回動軸を中心として回動する。ダンパは、固定部又は壁面の少なくとも一方に連結するシリンダと、シリンダ内に摺動自在に収納されるピストンと、ピストンに連結されて、上下方向に延び、上面が連結部の下面に接触するロッドと、を有する。ドアが閉動作するときに、ロッドが、連結部の回動に応じて上下方向に往復移動して、減衰力を発生させる。
【０００７】
このドアクローザは、ダンパが伸縮動作時に減衰力を発生させる。連結部は、ヒンジに連結して、ドアの開閉動作時にダンパを伸縮動作させる。ロッドは、ドアが閉動作するときに、連結部の回動に応じて上下方向に往復移動して、減衰力を発生させる。このような構成により、ドアクローザは、ドアの閉動作時には、ダンパが伸長動作する際に減衰力が発生し、ダンパの伸長速度を抑えることができ、ドアが急に閉まることがなくなる。その上で、ドアクローザは、ヒンジとともにダンパを備える構成であり、ヒンジとダンパとを別個に設ける構成に比べてドアにコンパクトに組み付けることができ、目立ち難く、見栄えを良くすることができる。
【０００８】
したがって、本発明のドアクローザは、ドアに組み付けた状態で見栄えが良くなる。
【０００９】
本発明のドアクローザは、連結部が、下面が回動軸に対して傾斜するテーパ状である円柱状にし得る。ロッドは、上面が回動軸に対して傾斜するテーパ状にし得る。この場合、ドアクローザは、ドアの開動作時に、連結部が回動部の回動に連動して回動軸を中心として回動することで、連結部とロッドの接触状態が変化する。ロッドは、上下方向に往復する構成であり、連結部との接触状態が変化することで、下方に押し下げられる。一方で、ドアクローザは、ドアの閉動作時に、ロッドが上方に移動する際に、回動可能な回動部に連結される連結部がロッドとの接触状態を変えながら回動する。そのため、ドアクローザは、ダンパの伸長動作時に生じる減衰力を利用して、伸長速度を抑えつつドアを閉動作させることができる。以上のように、ドアクローザは、連結部とダンパを連動させる構成を、連結部とダンパにテーパをつけることで容易に実現することができる。
【００１０】
本発明のドアクローザは、固定部とシリンダを連結し、連結部及びロッドを覆うカバー部を備え得る。この場合、ドアクローザは、カバー部によって連結部及びロッドが覆われる。これにより、ドアクローザは、連結部及びロッドが外部から視認されなくなり、見栄えを良くすることができる。
【図面の簡単な説明】
【００１１】
【図１】実施形態１のドアクローザがドアに組み付けられた状態を示す側面図である。
【図２】実施形態１のドアクローザにおいて、ドアが閉状態にあるときの様子を示す側面図である。
【図３】実施形態１のドアクローザにおいて、ドアが開状態にあるときの様子を示す側面図である。
【発明を実施するための形態】
【００１２】
本発明のドアクローザを具体化した実施形態１について、図面を参照しつつ説明する。
【００１３】
＜実施形態１＞
実施形態１のドアクローザ１０は、図１に示すように、ドアＤの一方面側（例えば、室内面側）における上側の角部分に取り付けられている。ドアＤは、ドアクローザ１０を介して、建造物の壁面Ｗの開口部Ｈを開閉可能に取り付けられている。ドアクローザ１０は、ドアＤを開状態から自動的にゆっくりと閉状態となるように作用する。
【００１４】
ドアクローザ１０は、図１に示すように、全体が略円柱状である。ドアクローザ１０は、ドアＤの一方面側における上側の角部分において、ドアＤの縁部（上下方向に延びる縁部）に沿って配置されている。
【００１５】
ドアクローザ１０は、図２、図３に示すように、ヒンジ２０、連結部３０、ダンパ４０、及びカバー部５０を備えている。ヒンジ２０は、壁面Ｗと、壁面Ｗの開口部Ｈに取り付けられるドアＤと、に取り付けられ、ドアＤの開閉動作とともに回動する。ヒンジ２０は、例えば公知のピボットヒンジとして構成されている。ヒンジ２０は、固定部２１、及び回動部２２を備えている。固定部２１は、壁面Ｗに固定されている。固定部２１は、略水平方向に延出するアーム部２１Ａを備えている。アーム部２１Ａは、一端が壁面Ｗに固体され、他端の下面に後述する回動軸（図示略）を軸受けする軸受部（図示略）が形成されている。回動部２２は、ドアＤ側に固定されて固定部２１に対して相対的に回動する。回動部２２は、略水平方向に延出するアーム部２２Ａを備えている。アーム部２２Ａは、一端がドアＤの一方面に固体され、他端に軸受部（図示略）に軸受される回動軸（図示略）が形成されている。回動軸は、軸受部に軸受けされることで、回動部２２が固定部２１に対して相対的に回動する。
【００１６】
連結部３０は、図２、図３に示すように、ヒンジ２０に連結して、ドアＤの開動作時にダンパ４０を収縮動作させる。連結部３０は、上下方向に延びる円柱状である。連結部３０は、上端が回動部２２に連結されている。連結部３０は、回動部２２と連動して、上下方向に延びる回動軸Ｃを中心として回動する。連結部３０は、下面が回動軸Ｃに対して傾斜するテーパ状のテーパ面３０Ａになっている。テーパ面３０Ａは、水平面に対して所定の角度傾斜した面であり、図２に示す状態で（ドアＤが閉状態にあるときに）、ドアＤにおける取っ手側から回動基端側に向かって上り勾配となるように傾斜している。テーパ面３０Ａは、図３に示すように、略楕円状の面になっている。
【００１７】
ダンパ４０は、伸長動作時に減衰力を発生させるように機能する。ダンパ４０は、図２、図３に示すように、シリンダ４１、ロッドガイド４２、ロッド４３、ピストン４４、減衰部４５、及び作動油４６を備えている。シリンダ４１は、有底筒状である。シリンダ４１は、作動油４６、及び圧縮ガス（図示略）が封入されている。シリンダ４１は、後述するカバー部５０を介して固定部２１に連結されている。ロッドガイド４２は、シリンダ４１の開口部を封鎖している。
【００１８】
ロッド４３は、ロッドガイド４２に摺動自在に挿通されており、その先端側がシリンダ４１の外部に露出している。ロッド４３は、上下方向に延びる円柱状である。ロッド４３は、上面が連結部３０の回動軸Ｃに対して傾斜するテーパ状のテーパ面４３Ａになっている。テーパ面４３Ａは、水平面に対して所定の角度傾斜した面であり、図２、図３に示すように、壁面Ｗに沿って一方側（図２、図３では左側）から他方側（図２、図３では右側）に向かって上り勾配となるように傾斜している。テーパ面４３Ａは、略楕円状の面になっている。ロッド４３は、図２に示す状態で（ドアＤが閉状態にあるとき）で、テーパ面４３Ａが連結部３０のテーパ面３０Ａと面接触するように配置されている。ロッド４３は、後述するように連結部３０の回動に応じて上下方向に往復移動する。
【００１９】
ピストン４４は、上下方向のみに摺動自在にシリンダ４１内に収納されている。ピストン４４は、上下方向を回動中心として回動しないようにシリンダ４１内において回転止めされている。ピストン４４は、シリンダ４１の内部を、ロッド４３の基端部が収納されているロッド側圧力室４１Ａと、反ロッド側圧力室４１Ｂと、に仕切るように設けられている。ピストン４４は、ロッド４３の基端部が連結されている。
【００２０】
減衰部４５は、図２、図３に示すように、ロッド側圧力室４１Ａと反ロッド側圧力室４１Ｂとの間を移動する流体の流れに抵抗を付与する。減衰部４５は、オリフィス４５Ａ、及び逆止弁４５Ｂを備えている。オリフィス４５Ａ及び逆止弁４５Ｂは、ロッド側圧力室４１Ａ及び反ロッド側圧力室４１Ｂを連通する流路にそれぞれ設けられている。オリフィス４５Ａは、双方向において流体の流れに抵抗を与える。逆止弁４５Ｂは、反ロッド側圧力室４１Ｂからロッド側圧力室４１Ａへの流体の流れを許容し、その逆の流れを阻止する。オリフィス４５Ａ及び逆止弁４５Ｂは、それぞれピストン４４に配されている。
【００２１】
ダンパ４０は伸長動作時に発生する減衰力が収縮動作時に発生する減衰力よりも大きい伸び効きダンパである。ダンパ４０の伸長動作とは、シリンダ４１からロッド４３の突出長さ及びダンパ４０の長さが長くなっていく動作を意味する。また、ダンパ４０の収縮動作とは、シリンダ４１からロッド４３の突出長さ及びダンパ４０の長さが短くなっていく動作を意味する。また、ダンパ４０は、シリンダ４１に封入した圧縮ガスの膨張力が伸長方向に働いている。
【００２２】
減衰部４５によるダンパ４０の減衰力が発生するメカニズムは、以下の通りである。オリフィス４５Ａは、ダンパ４０の伸長及び収縮の両動作に伴うロッド側圧力室４１Ａと反ロッド側圧力室４１Ｂとの間の作動油の流れに抵抗を付与する。逆止弁４５Ｂは、反ロッド側圧力室４１Ｂからロッド側圧力室４１Ａへの作動油の流れは許容するが、その逆の流れは阻止する。このため、ダンパ４０は、伸長動作時、ロッド側圧力室４１Ａから反ロッド側圧力室４１Ｂへの作動油の流路経路が、オリフィス４５Ａが設けられた流路のみとなる。一方、収縮動作時には、反ロッド側圧力室４１Ｂからロッド側圧力室４１Ａへの作動油の流路経路が、オリフィス４５Ａが設けられた流路と逆止弁４５Ｂが設けられた流路の両方の経路となる。このため、ダンパ４０は伸長動作時に発生する減衰力が収縮動作時に発生する減衰力よりも大きくなる。
【００２３】
カバー部５０は、図１〜図３に示すように、ドアクローザ１０の下端側の外郭を構成する。カバー部５０は、回動部２２の一部、連結部３０、及びダンパ４０（具体的には、シリンダ４１、及びロッド４３）を覆っている。このため、ドアクローザ１０は、動く部材である連結部３０、及びロッド４３が外部から視認されなくなり、見栄えを良くすることができる。カバー部５０は、上端部が開放された有底円筒状である。カバー部５０は、ダンパ４０を下方及び側方から支持するように収容している。カバー部５０は、ドアＤの閉状態時にロッド４３のテーパ面４３Ａが連結部３０のテーパ面３０Ａに接触するように、固定部２１とシリンダ４１を連結している。
【００２４】
次に、ドアクローザ１０の動作について説明する。
ドアクローザ１０は、図２に示す状態においてドアＤを開操作すると、回動部２２が固定部２１に対して所定方向（開方向とする）に相対的に回動する。連結部３０は、回動部２２とともに回動軸Ｃを中心として開方向に回動する。連結部３０は、回動軸Ｃを中心として回動することで、ロッド４３との接触状態が変化する。ロッド４３は、上下方向に往復可能な構成であり、連結部３０との接触状態が変化することで、下方に押し下げられる。ロッド４３は、下方に移動して、シリンダ４１からの突出長さが短くなる。ピストン４４は、ロッド４３とともに下方に移動する。このとき、ピストン４４は、作動油４６をオリフィス４５Ａが設けられた流路と、逆止弁４５Ｂが設けられた流路を介して、反ロッド側圧力室４１Ｂからロッド側圧力室４１Ａへ移動させる。これにより、ダンパ４０は、伸長動作時に発生する減衰力よりも小さな減衰力が生じる。ドアＤは、壁面Ｗに対して直交する状態になるまで開操作されると、図３に示す状態になる。
【００２５】
ドアクローザ１０は、ドアＤが開操作された状態（例えば、図３に示す状態）において、シリンダ４１に封入した圧縮ガスの膨張力に基づいてロッド４３が上方に付勢されている。連結部３０は、回動可能な回動部２２に連結されており、ロッド４３が付勢により上方に移動する際に、ロッド４３との接触状態を変えながら閉方向に回動する。回動部２２は、連結部３０とともに閉方向に回動する。ピストン４４は、作動油４６をオリフィス４５Ａによってロッド側圧力室４１Ａから反ロッド側圧力室４１Ｂへ移動させる。このとき、ピストン４４は、作動油４６をオリフィス４５Ａが設けられた流路を介して、ロッド側圧力室４１Ａから反ロッド側圧力室４１Ｂへ移動させる。これにより、ダンパ４０は、収縮動作時に発生する減衰力よりも大きな減衰力が生じる。ロッド４３は、自動的にゆっくりと上方に移動して、シリンダ４１からの突出長さが長くなる。これにより、回動部２２、及び連結部３０は、自動的にゆっくりと閉方向に回動するため、ドアＤをゆっくりと閉状態（図２に示す状態）にすることができる。
【００２６】
以上説明したように、実施形態１のドアクローザ１０は、ダンパ４０が伸長動作時に減衰力を発生させる。連結部３０は、ヒンジ２０に連結して、ドアＤの開動作時にダンパ４０を収縮動作させる。このような構成により、ドアクローザ１０は、ドアＤの閉動作時には、ダンパ４０が伸長動作する際に減衰力が発生し、ダンパ４０の伸長速度を抑えることができ、ドアＤが急に閉まることがなくなる。その上で、ドアクローザ１０は、ヒンジ２０とともにダンパ４０を備える構成であり、ヒンジ２０とダンパ４０とを別個に設ける構成に比べてドアＤにコンパクトに組み付けることができ、目立ち難く、見栄えを良くすることができる。
【００２７】
したがって、実施形態１のドアクローザ１０は、ドアＤに組み付けた状態で見栄えが良くなる。
【００２８】
実施形態１のドアクローザ１０では、連結部３０が、テーパ面３０Ａが回動軸Ｃに対して傾斜するテーパ状である円柱状となっている。ロッド４３は、テーパ面４３Ａが回動軸Ｃに対して傾斜するテーパ状である。このため、ドアクローザ１０は、ドアＤの開動作時に、連結部３０が回動部の回動に連動して回動軸Ｃを中心として回動することで、ロッド４３との接触状態が変化する。ロッド４３は、上下方向に往復可能な構成であり、連結部３０との接触状態が変化することで、下方に押し下げられる。一方で、ドアクローザ１０は、ドアＤの閉動作時に、ロッド４３が上方に移動する際に、回動可能な回動部２２に連結される連結部３０がロッド４３との接触状態を変えながら回動する。そのため、ドアクローザ１０は、ダンパ４０の伸長動作時に生じる減衰力を利用して、伸長速度を抑えつつドアＤを閉動作させることができる。以上のように、ドアクローザ１０は、連結部３０とダンパ４０を連動させる構成を、連結部３０とダンパ４０にテーパをつけることで容易に実現することができる。
【００２９】
また、実施形態１のドアクローザ１０では、固定部２１とシリンダ４１を連結し、連結部３０及びロッド４３を覆うカバー部５０を備える。これにより、ドアクローザ１０は、連結部３０及びロッド４３が外部から視認されなくなり、見栄えを良くすることができる。
【００３０】
本発明は上記記述及び図面によって説明した実施形態１に限定されるものではなく、例えば次のような実施形態も本発明の技術的範囲に含まれる。
（１）実施形態１では、連結部３０のテーパ面３０Ａと、ロッド４３のテーパ面４３Ａと、が接触する構成であったが、公知のボールスクリューを介して、連結部３０とロッド４３とが連動可能に連結する構成であってもよい。この場合、シリンダ４１に封入された圧縮ガスによる膨張力などでダンパ４０を伸長させる構成でなくてもよい。
（２）実施形態１では、ダンパ４０は、伸長動作時に減衰力を発生させたが、収縮動作時に減衰力を発生させる構成であってもよい。例えば、公知のボールスクリューを介して、連結部３０とロッド４３とが連動可能に連結する構成とする。また、逆止弁４５Ｂは、ロッド側圧力室４１Ａから反ロッド側圧力室４１Ｂへの流体の流れを許容し、その逆の流れを阻止する構成とする。また、図２のようなダンパ４０の伸長状態でドアＤが開状態となり、図３のようなダンパ４０の収縮状態でドアＤが閉状態となる構成とする。このような構成であっても、ドアＤの閉動作時にドアＤが急に閉まらなくすることができる。
（３）実施形態１では、シリンダ４１は、固定部２１に連結されたが、壁面Ｗに連結されてもよい。
（４）実施形態１では、圧縮ガスの膨張力でダンパ４０を伸長させたが、これに限定されず、例えば、圧縮コイルばね等の他の手段又はそれらの組み合わせ等により付勢力を更に付与してダンパ４０を伸長させるようにしてもよい。
（５）実施形態１では、シリンダ４１内に封入する作動液体として作動油を採用したが、これに限定されず、所定の減衰力を発生させるものであれば、他の液体を採用してもよい。
【符号の説明】
【００３１】
Ｃ…回動軸、Ｄ…ドア、Ｈ…開口部、Ｗ…壁面、１０…ドアクローザ、２０…ピボットヒンジ（ヒンジ）、２１…固定部、２１Ａ…アーム部、２２…回動部、２２Ａ…アーム部、３０…連結部、３０Ａ…テーパ面（下面）、４０…ダンパ、４１…シリンダ、４２…ロッドガイド、４３…ロッド、４３Ａ…テーパ面（上面）、４４…ピストン、４５…減衰部（４５Ａ…オリフィス、４５Ｂ…逆止弁）、４６…作動油、５０…カバー部
【図１】
2019120103.tif 000003
【図２】
2019120103.tif 000004
【図３】
2019120103.tif 000005